【手続補正書】
【提出日】平成18年4月12日(2006.4.12)
【手続補正１】
【補正対象書類名】特許請求の範囲
【補正対象項目名】全文
【補正方法】変更
【補正の内容】
【特許請求の範囲】
【請求項１】
遊技機に取り付けられる遊技機用表示装置であって、
数字・文字等の図柄を表示して遊技者に報知するためのメイン表示部と、そのメイン表示部の表示面となる遊技者側に対向して配置された透明性を有する面状の導光板を含む面発光部と、前記メイン表示部に図柄を表示する複数の発光素子及び前記面発光部の導光板を端面側から照射して面発光させる発光素子がともに実装された単一の共通基板とを備えて、１つの図柄を表示する表示ユニットを構成し、
前記表示ユニットが複数一列状に配置されるとともに、各表示ユニットの前記共通基板において前記導光板用の発光素子が外側に位置し、それより内側に前記メイン表示部用の複数の発光素子が配置され、前記導光板の端面側が前記共通基板側へ近づくように延長部が形成され、その延長部の端部に対応して前記導光板用の発光素子が前記共通基板に配置され、
前記各表示ユニットにおいて、前記メイン表示部用の複数の発光素子が選択的に発光して前記図柄が表示されるとともに、前記導光板用の発光素子が発光しその光が前記延長部を介して前記導光板に導かれて該導光板を面発光させることにより、前記メイン表示部の前記図柄を示す発光態様と前記導光板の全体的な面状の発光態様との重層された発光表示形態が遊技者に視認可能とされ、
かつ、前記各表示ユニットは独立して又は互いに連係し合って、前記遊技機での抽選結果に基づいて、少なくとも前記導光板用の発光素子の発光態様を変化させることを特徴とする遊技機用表示装置。
【請求項２】
遊技機に取り付けられる遊技機用表示装置であって、
数字・文字等の図柄を表示して遊技者に報知するためのメイン表示部と、そのメイン表示部の表示面となる遊技者側に対向して配置された透明性を有する面状の導光板を含む面発光部と、前記メイン表示部に図柄を表示する複数の発光素子及び前記面発光部の導光板を端面側から照射して面発光させる発光素子がともに実装された単一の共通基板と、前記メイン表示部及び／又は面発光部を後方側又は側方側から前方側に照らし出すための発光素子を有する第三発光部とを備え、
前記共通基板において前記導光板用の発光素子が外側に位置し、それより内側に前記メイン表示部用の複数の発光素子が配置され、前記導光板の端面側が前記共通基板側へ近づくように延長部が形成され、その延長部の端部に対応して前記導光板用の発光素子が前記共通基板に配置され、
前記メイン表示部用の複数の発光素子が選択的に発光して前記図柄が表示されるとともに、前記導光板用の発光素子が発光しその光が前記延長部を介して前記導光板に導かれて該導光板を面発光させることにより、前記メイン表示部の前記図柄を示す発光態様と前記導光板の全体的な面状の発光態様との重層された発光表示形態が形成され、かつ、その重層された発光表示形態を取り囲むように前記第三発光部用の発光素子による発光態様がさらに付加されて前方側の遊技者に視認可能とされ、
さらに、前記遊技機での抽選結果に基づいて、少なくとも前記導光板用の発光素子の発光態様を変化させることを特徴とする遊技機用表示装置。
【請求項３】
前記遊技機での抽選結果に基づいて、前記導光板用の発光素子の発光態様として発光色及び／又は発光状況を変化させる請求項１又は２に記載の遊技機用表示装置。
【請求項４】
前記遊技機での抽選結果に基づいて前記導光板用の発光素子の発光態様を変化させるために、前記導光板用の発光素子の発光に時間的変化及び／又は位置的変化が与えられる請求項１ないし３のいずれか１項に記載の遊技機用表示装置。
【請求項５】
請求項１ないし４のいずれか１項に記載の遊技機用表示装置を備えたことを特徴とする遊技機。
【手続補正２】
【補正対象書類名】明細書
【補正対象項目名】０００５
【補正方法】変更
【補正の内容】
【０００５】
上記の課題を解決するために、遊技機に取り付けられる本発明の遊技機用表示装置は、
数字・文字等の図柄を表示して遊技者に報知するためのメイン表示部と、そのメイン表示部の表示面となる遊技者側に対向して配置された透明性を有する面状の導光板を含む面発光部と、前記メイン表示部に図柄を表示する複数の発光素子及び前記面発光部の導光板を端面側から照射して面発光させる発光素子がともに実装された単一の共通基板とを備えて、１つの図柄を表示する表示ユニットを構成し、
前記表示ユニットが複数一列状に配置されるとともに、各表示ユニットの前記共通基板において前記導光板用の発光素子が外側に位置し、それより内側に前記メイン表示部用の複数の発光素子が配置され、前記導光板の端面側が前記共通基板側へ近づくように延長部が形成され、その延長部の端部に対応して前記導光板用の発光素子が前記共通基板に配置され、
前記各表示ユニットにおいて、前記メイン表示部用の複数の発光素子が選択的に発光して前記図柄が表示されるとともに、前記導光板用の発光素子が発光しその光が前記延長部を介して前記導光板に導かれて該導光板を面発光させることにより、前記メイン表示部の前記図柄を示す発光態様と前記導光板の全体的な面状の発光態様との重層された発光表示形態が遊技者に視認可能とされ、
かつ、前記各表示ユニットは独立して又は互いに連係し合って、前記遊技機での抽選結果に基づいて、少なくとも前記導光板用の発光素子の発光態様を変化させることを特徴とする。
【手続補正３】
【補正対象書類名】明細書
【補正対象項目名】００１０
【補正方法】変更
【補正の内容】
【００１０】
したがって、上記遊技機用表示装置の具体的態様は、
数字・文字等の図柄をセグメント表示して遊技者に報知するためのメイン表示部としてのセグメント表示部と、そのセグメント表示部の表示面となる遊技者側に対向して配置された透明性を有する面状の導光板を含む面発光部と、前記セグメント表示部に図柄を表示するためにセグメント毎に１又は複数設けられた発光素子及び前記面発光部の導光板を端面側から照射して面発光させる発光素子がともに実装された単一の共通基板とを備えて、１つの図柄を表示する表示ユニットを構成し、
前記表示ユニットが複数一列状に配置されるとともに、各表示ユニットの前記共通基板において前記導光板用の発光素子が外側に位置し、それより内側に前記セグメント表示部用の複数の発光素子が配置され、前記導光板の端面側が前記共通基板側へ近づくように延長部が形成され、その延長部の端部に対応して前記導光板用の発光素子が前記共通基板に配置され、
前記各表示ユニットにおいて、前記セグメント表示部用の複数の発光素子が選択的に発光して前記図柄が表示されるとともに、前記導光板用の発光素子が発光しその光が前記延長部を介して前記導光板に導かれて該導光板を面発光させることにより、前記セグメント表示部の前記図柄を示す発光態様と前記導光板の全体的な面状の発光態様との重層された発光表示形態が遊技者に視認可能とされ、
かつ、前記各表示ユニットは独立して又は互いに連係し合って、前記遊技機での抽選結果に基づいて、少なくとも前記導光板用の発光素子の発光態様を変化させることができる。
【手続補正４】
【補正対象書類名】明細書
【補正対象項目名】００１６
【補正方法】変更
【補正の内容】
【００１６】
次に、上記の課題を解決するために、遊技機に取り付けられる本発明の遊技機用表示装置は、
数字・文字等の図柄を表示して遊技者に報知するためのメイン表示部と、そのメイン表示部の表示面となる遊技者側に対向して配置された透明性を有する面状の導光板を含む面発光部と、前記メイン表示部に図柄を表示する複数の発光素子及び前記面発光部の導光板を端面側から照射して面発光させる発光素子がともに実装された単一の共通基板と、前記メイン表示部及び／又は面発光部を後方側又は側方側から前方側に照らし出すための発光素子を有する第三発光部とを備え、
前記共通基板において前記導光板用の発光素子が外側に位置し、それより内側に前記メイン表示部用の複数の発光素子が配置され、前記導光板の端面側が前記共通基板側へ近づくように延長部が形成され、その延長部の端部に対応して前記導光板用の発光素子が前記共通基板に配置され、
前記メイン表示部用の複数の発光素子が選択的に発光して前記図柄が表示されるとともに、前記導光板用の発光素子が発光しその光が前記延長部を介して前記導光板に導かれて該導光板を面発光させることにより、前記メイン表示部の前記図柄を示す発光態様と前記導光板の全体的な面状の発光態様との重層された発光表示形態が形成され、かつ、その重層された発光表示形態を取り囲むように前記第三発光部用の発光素子による発光態様がさらに付加されて前方側の遊技者に視認可能とされ、
さらに、前記遊技機での抽選結果に基づいて、少なくとも前記導光板用の発光素子の発光態様を変化させることを特徴とする。